(57)【要約】      （修正有）【課題】十分な温熱効果を得つつフィット感と圧迫感との良好なバランスが得られ、広い範囲を温め全身のリラックス感がより一層向上するマスクを提供する。【解決手段】温熱具５０は、両目を覆うマスク本体部５１と、本体部に設けられた発熱体と、本体部の長手方向両端部にそれぞれ接合され、本体部により着用者の両目を覆うように保持する一対の耳掛部５２Ｌ、５２Ｒとを備え、以下の条件を満たす。耳掛部が耳掛け用の孔５４Ｌ，５４Ｒを有し、孔の最大長さ方向に対し垂直な方向において耳掛部のうち孔より上方に位置する部分の幅の最小値をＤａ（ｃｍ）とし、耳掛部のうち孔より下方に位置する部分の幅の最小値をＤｂ（ｃｍ）としたとき、Ｄａ／Ｄｂが１．３以上、１５．０以下であり、Ｄｂを含む直線と耳掛部の下側の外縁とが交わる点から耳掛部とマスク本体部との接合部までの外縁の長さをＤｃ（ｃｍ）としたとき、Ｄｃが１ｃｍ以上、４．５ｃｍ以下である。【選択図】図１
2019162411.tif 000002
【特許請求の範囲】
【請求項１】
両目を覆うマスク本体と、前記マスク本体に設けられた発熱体と、前記マスク本体の長手方向両端部にそれぞれ接合され、当該マスク本体により着用者の両目を覆うように保持する一対の耳掛け部と、を備え、以下の条件を満たす、マスク。
（条件）
前記耳掛け部が耳掛け用の開口部を有し、
当該開口部の最大長さ方向に対し垂直な方向において、前記耳掛け部のうち前記開口部より上方に位置する部分の幅の最小値をＤａ（ｃｍ）とし、前記耳掛け部のうち前記開口部より下方に位置する部分の幅の最小値をＤｂ（ｃｍ）としたとき、Ｄａ／Ｄｂが、１．３以上、１５．０以下であり、
前記Ｄｂを含む直線と、前記耳掛け部の下側の外縁とが交わる点から、前記耳掛け部と前記マスク本体部との接合部までの、前記外縁の長さをＤｃ（ｃｍ）としたとき、Ｄｃが、１ｃｍ以上、４．５ｃｍ以下である。
【請求項２】
Ｄｂが、０．３ｃｍ以上、２．０ｃｍ未満である、請求項１に記載のマスク。
【請求項３】
前記耳掛け部が、前記耳掛け部の下側の外縁から前記開口部に向かうスリットを備える請求項１または２に記載のマスク。
【請求項４】
前記スリットが複数である、請求項３に記載のマスク。
【請求項５】
前記耳掛け部を前記最大長さ方向に１００％伸長させたときの応力が１０Ｎ以下である、請求項１乃至４のいずれか一項に記載のマスク。
【請求項６】
前記耳かけ部は不織布である、請求項１乃至５のいずれか一項に記載のマスク。
【請求項７】
前記発熱体は、被酸化性金属の酸化反応により水蒸気を発生するものである、請求項１乃至６のいずれか一項に記載のマスク。
【請求項８】
前記発熱体が一対であり、各々により両目が覆われるように配置されている、請求項１乃至７のいずれか一項に記載のマスク。
【発明の詳細な説明】
【技術分野】
【０００１】
本発明は、マスクに関する。
【背景技術】
【０００２】
近年、目および目元を覆うマスクの機能が多様化し、様々なマスクが開発されている。例えば、被酸化性金属の酸化反応により生じる酸化熱を利用した発熱体を内部に収容した温熱効果を有するマスクが利用されている。なかでも、発熱体により着用者の目を温め、左右の耳に一対の耳掛け部をひっかけて使用されるアイマスクは、軽量で簡便に用いられること等から、広く好まれている。
【０００３】
一方で、アイマスクに対する期待はますます高まっている。たとえば、特許文献１には、耳掛け部を耳にかけやすく、マスク本体を顔にフィットさせやすくする観点から、耳掛け部連結部の位置や開口部の形状、およびスリット等を特定したアイマスクが開示されている。
【先行技術文献】
【特許文献】
【０００４】
【特許文献１】特開２００８−２９５７７９号公報
【発明の概要】
【発明が解決しようとする課題】
【０００５】
しかしながら、近年、温熱効果を有するアイマスクの使用態様が多様化し、着用者が上体を起こして使用する態様だけではなく、仰臥位であったり、更には側臥位で使用する態様も生じてきた。このような場合、温熱効果を十分に得るためには、アイマスクが着用者にできるだけフィットすることが求められる。そのため、特許文献１に開示されるような従来のアイマスクにおいては、フィット感において改善の余地があった。
【０００６】
ここで、アイマスクのフィット感を向上させるために、特段の工夫をすることなく、たとえば、アイマスクの横幅方向の長さを縮めて着用者の顔に温熱具を密着させようとした場合には、着用者の耳かけ部が装着された部分や耳裏において耳掛部による応力が高くなり、圧迫感が生じる傾向があった。
そこで、本発明者は、耳かけ部が装着された部分や耳裏における圧迫感を低減しつつ、側臥位の場合でもマスクの位置ずれを抑制する観点から鋭意検討を行ったところ、マスクを着用した際、着用者の目尻からこめかみ、目尻から耳たぶにかけての範囲を押さえつけないようにしつつ、着用者の眉付近をしっかり押さえることで、かかるマスクの横ずれを効果的に抑制し、フィット感を向上させつつ、圧迫感を低減できることを知見した。そして、マスクにおいて、フィット感と圧迫感との良好なバランスを得つつ、側臥位においても、広い範囲を均一に温め、全身のリラックス感を向上させるという課題を解決する観点から、さらに検討を進めた結果、マスクが特定の条件を満たすことが当該課題を解決する指針として有効なことを見出し、本発明を完成した。
【課題を解決するための手段】
【０００７】
すなわち、本発明は、両目を覆うマスク本体と、前記マスク本体に設けられた発熱体と、前記マスク本体の長手方向両端部にそれぞれ接合され、当該マスク本体により着用者の両目を覆うように保持する一対の耳掛け部と、を備え、以下の条件を満たす、マスクを提供する。
（条件）
前記耳掛け部が耳掛け用の開口部を有し、
当該開口部の最大長さ方向に対し垂直な方向において、前記耳掛け部のうち前記開口部より上方に位置する部分の幅の最小値をＤａ（ｃｍ）とし、前記耳掛け部のうち前記開口部より下方に位置する部分の幅の最小値をＤｂ（ｃｍ）としたとき、Ｄａ／Ｄｂが、１．３以上、１５．０以下であり、
前記Ｄｂを含む直線と、前記耳掛け部の下側の外縁とが交わる点から、前記耳掛け部と前記マスク本体部との接合部までの、前記外縁の長さをＤｃ（ｃｍ）としたとき、Ｄｃが、１ｃｍ以上、４．５ｃｍ以下である。
【発明の効果】
【０００８】
本発明によれば、フィット感と圧迫感との良好なバランスが得られるマスクを提供することができる。また、本発明のマスクは、従来よりも広い範囲を温め、またフィット感の向上に伴い均一な温まり感が得られ、全身のリラックス感がより一層向上する。
【図面の簡単な説明】
【０００９】
【図１】実施形態に係る温熱具の耳掛け部を開いた状態を模式的に示した平面図である。
【図２】実施の形態に係る温熱具の耳掛け部を開く前の状態を模式的に示した平面図である。
【図３】図１に示す温熱具の分解斜視図である。
【図４】実施の形態に係る発熱体を模式的に示した平面図である。
【図５】実施の形態に係る発熱体を模式的に示した断面図である。
【図６】実施形態に係る温熱具の変形例を模式的に示した平面図である。
【図７】実施例１の温熱具の耳掛け部を模式的に示した平面図である。
【発明を実施するための形態】
【００１０】
以下、本発明の実施の形態について、図面を用いて説明する。尚、すべての図面において、同様な構成要素には同様の符号を付し、適宜説明を省略する。また、透気性と通気性とは同意である。
【００１１】
［温熱具］
まず、本実施形態に係る温熱具５０の一例について、図１〜図３に基づいて説明する。
本実施形態に係る温熱具５０は、いわゆる温熱効果を有するアイマスクであり、マスク本体部５１により着用者の両目を覆い、マスク本体部５１に設けられた一対の発熱体１００から、所定温度に加熱された水蒸気を目およびその周囲に付与するために用いられるものである。ただし、マスクの態様は、本実施形態のものに限定されない。
【００１２】
図１に示すように、温熱具５０は、マスク本体部５１と、耳が挿入される孔５４（５４Ｌ、５４Ｒ）がそれぞれ形成された一対の耳掛部５２（５２Ｌ、５２Ｒ）とを有している。
【００１３】
温熱具５０は、各耳掛部５２を着用者の耳に掛けて、マスク本体部５１で着用者の両目を覆うように装着される。この着用状態下、後述する発熱体１００から発生した温熱蒸気が着用者の目に施されるように構成されている。
【００１４】
図２は、温熱具５０の耳掛部５２を開く前の状態を模式的に示した平面図である。同図において、一対の耳掛部５２は、温熱具５０の内方に向けて互いに折りたたまれ、マスク本体部５１縦中央部において、互いに接合されている。接合された領域には、ミシン目またはハーフカット溝が設けられている。すなわち、一連に形成された一対の耳掛部５２を２等分するようにミシン目またはハーフカット溝が設けられ、これを着用者が切り離することによって、耳掛部５２Ｌと、耳掛部５２Ｒとが得られるようになっている。その後、耳掛部５２Ｌと、耳掛部５２Ｒとを外方に向けて反転させることにより、図１の状態とすることができる。図１に示すように、耳掛部５２をマスク本体部５１から外側に向かって開いたとき、耳掛部５２は、平面視においてハの字形状となっている。また、耳掛部５２をマスク本体部５１から外側に向かって開いたとき、孔５２がマスク本体部５１の長手方向に対して下方に傾いて延びている。
このような配置を取る事により、より一層着用時にマスク本体部５１が顔にフィットしやすくなる。
【００１５】
図３は、図１に示す温熱具５０の分解斜視図である。図３に示されるように、マスク本体部５１は袋体５３から構成され、袋体５３の内部に一対の発熱体１００が設けられている。
【００１６】
マスク本体部５１は、長手方向Ｘとこれに直交する幅方向Ｙを有する横長の形状であり、ほぼ左右対称である。また、マスク本体部５１は、可撓性の柔軟なシートにより構成されており、伸縮性を有していても有していなくてもよいが、眉付近に温熱具５０をしっかりと押さえつけ、フィット感をより一層強く感じさせる観点から、伸縮性がある方が好ましい。
【００１７】
マスク本体部５１を構成する袋体５３は、着用者の肌面に近い側に位置する第１袋体シート５３１と、着用者の肌面から遠い側に位置する第２袋体シート５３２とを有している。ここで、後述する発熱体１００を挟み込むように、第１袋体シート５３１と第２袋体シート５３２とが設けられる。
【００１８】
第１袋体シート５３１および第２袋体シート５３２は同形であり、略長円形をしている。そして、第１袋体シート５３１および第２袋体シート５３２の外形がマスク本体部５１の外形をなしている。第１袋体シート５３１および第２袋体シート５３２はそれらを重ね合わせ、それらの周縁部を少なくとも一部接合し、かつＹ方向の中央部をＸ方向に沿って接合することで、袋体５３となる。第１袋体シート５３１および第２袋体シート５３２を接合するためには、たとえばホットメルト接着剤を用いることができる。なお、発熱体１００は接着剤やヒートシール等により、袋体５３に固定されていてもよい。
【００１９】
第１袋体シート５３１および第２袋体シート５３２としては、内部の発熱体１００への空気の供給が十分にできるものが好ましく、たとえば、不織布をはじめとする繊維シートを使用できる。たとえば、ニードルパンチ不織布、エアスルー不織布およびスパンボンド不織布から選択される１種または２種以上を使用できる。
【００２０】
袋体５３には、そのＹ方向に延びる２つの長辺の中央部の位置において、該長辺からＸ方向に沿って内方に切れ込んだ略Ｖ字形のノッチ部５７（ノッチ部５７１、ノッチ部５７２）がそれぞれ形成されている。ノッチ部５７１、およびノッチ部５７２は、切れ込みの程度が異なっている。ノッチ部５７１は、温熱具５０を装着したときに、着用者の眉間またはその近傍に位置する。ノッチ部５７２は、温熱具５０を装着したときに、着用者の鼻梁に位置する。したがって、通常、ノッチ部５７１よりもノッチ部５７２の方が切れ込みの程度が大きくなっている。
【００２１】
さらに、図１に示すように、袋体５３には、ノッチ部５７２に繋がるスリット３２が、袋体５３中央部であって発熱体１００を離隔する領域において、袋体５３の下端から延在している。スリット３２により、着用感を向上しやすくなる。
【００２２】
温熱具５０における耳掛部５２は、使用前の状態では、図３に示すように、第１袋体シート５３１上に配置されている。使用前の状態、すなわち左右の耳掛部５２が第１袋体シート５３１上に位置している状態においては、左右の耳掛部５２によって形成される輪郭は、第１袋体シート５３１の輪郭とほぼ同じになっている。
【００２３】
耳掛部５２は、温熱具５０を着用者の顔に保持するための機能を有する。
耳掛部５２は一対で用いられ、耳掛部５２Ｌ、耳掛部５２Ｒは、マスク本体部５１の長手方向（Ｘ方向）の各端部にそれぞれ取り付けられている。より詳細には、耳掛部５２において、マスク本体部５１側を基端とし、マスク本体部５１から遠い側を先端としたとき、耳掛部５２の基端側の領域と、マスク本体部５１の着用者側のシート（第１袋体シート５３１）とが接合されている。
また、耳掛部５２Ｌ、および耳掛部５２Ｒとはそれぞれマスク本体部５１と重なり合う接合領域を有している。
【００２４】
図１に示すように、耳掛部５２は、下側の外縁から孔５４に向かうスリット３１を備えている。これにより、後述するＬａ方向において、耳掛部５２の孔５４より下方に位置する部分であって、装着時に目尻と耳たぶとの間で本体部５１を支える部分の幅が小さくなっている。図１の温熱具５０において、後述するＤｂ（ｃｍ）は、孔５４からスリット３１の上端までの長さとなっている。また、図１の温熱具５０において、スリット３１は、Ｄｂ（ｃｍ）を含む直線上に備えられている。
【００２５】
図１には、スリット３１と、耳掛部５２の下側の外縁とが交わる点から、耳掛部５２とマスク本体部５１との接合部までの、耳掛部５２の下側の外縁の長さＤｃ（ｃｍ）が示されている。温熱具５０において、Ｄｃは１ｃｍ以上、４．５ｃｍ以下であり、耳掛部５２において使用時に応力が集中しやすい範囲である。言い換えると、本実施形態において、Ｄｂ（ｃｍ）を含む直線が、耳掛部５２の下側の外縁のうち、耳掛部５２とマスク本体部５１との接合部からの長さが１ｃｍ〜４．５ｃｍの範囲内において、耳掛部５２の下側の外縁と交わっている。これにより、温熱具５０を装着した際、応力を効果的に低減することができ、耳かけ部５２の目尻から耳たぶにかけて肌に当たる部分が引き延ばされて細くなる事で圧迫感が低減されると同時に、耳掛部５２の孔５４よりも下方における領域の伸長性を高めることができる結果、フィット感を保持しつつ圧迫感を低減しやすくなる。
【００２６】
Ｄｃは、フィット感と圧迫感のバランスを向上する観点から、好ましくは、１．５ｃｍ以上、４．０ｃｍ以下であり、より好ましくは、１．８ｃｍ以上、２．５ｃｍ以下である。
【００２７】
スリット３１の長さは、特に限定されないが、後述するＤｂ（ｃｍ）を適切な範囲にするように、調整されることが好ましい。たとえば、スリット３１の長さは、０．３ｃｍ以上、３．５ｃｍ以下とすることができる。
また、スリット３１は、耳掛部５２の伸長方向に対して、垂直な方向に備えられていてもよく、ななめ方向に備えられていてもよい。スリット３１の切り込みの切片が温熱具５０の装着時に使用者の肌にあたりにくくする観点から、スリット３１は耳かけ部５２の伸長方向に対して垂直な方向に備えられていることが好ましい。
【００２８】
スリット３１は、フィット感と圧迫感のバランスを制御しやすくする観点から、耳掛部５２の下側の外縁のみに設けられていることが好ましい。言い換えると、耳掛部５２は、上側の外縁にスリットを備えないことが好ましい。
【００２９】
スリット３１は、温熱具５０が使用される前から設けられたものであってもよく、温熱具５０が使用される前に、予め設けられた破線部を着用者が破断することによって形成されるものであってもよい。
【００３０】
耳掛部５２は、Ｌａ方向に伸長性を有することが好ましい。具体的には温熱具５０において、耳掛部５２を、後述するＬａ方向に１００％伸長させたときの応力（Ｎ）は、１０Ｎ以下であることが好ましく、５Ｎ以下であることがより好ましい。これにより、フィット感と圧迫感のバランスをさらに向上できるとともに、使用時において耳掛部５２を伸長しやすくし、耳掛部５２を耳にかけやすくできる。さらに、フィット感を得る観点から、耳掛部５２におけるＬａ方向における１００％伸長時応力（Ｎ）は、１．５Ｎ以上であることが好ましい。
【００３１】
なお、耳掛部５２における伸長時の応力（Ｎ）は、ＪＩＳ  Ｌ１９１３を参考にした方法により測定することができる。
すなわち、試料幅を８０±１０ｍｍとし、当該試料を引張り試験器での初期長さを５５±１５ｍｍに設定し、引張速度３００ｍｍ／ｍｉｎにて、Ｌａ方向に規定の長さ（１００％伸長時応力であれば、初期長さの１００％の長さ、５０％伸長時応力であれば、初期長さの５０％の長さ）伸長させた際の引張強さを測定する。
具体的には、実施例において後述する。
【００３２】
耳掛部５２は、単層のシートにより構成されていてもよいし、複数のシートの積層体であってもよい。耳掛部５２としては、不織布等の繊維材料からなる繊維シートを用いることができる。耳掛部５２は、上述した袋体５３と同様の材料を用いたものであってもよいし、異なる材料を用いたものであってよい。フィット感と圧迫感のバランスを制御しやすくする観点から、耳掛部５２は、不織布であることが好ましい。
【００３３】
一対の耳掛部５２の平面形状は特に限定されないが、マスク本体部５１を縦中央線で二等分したときのマスク本体部５１の右側の平面形状と左側の平面形状とそれぞれ同一の形状であることが好ましい。例えば、略正方形状が挙げられる。
【００３４】
孔５４は、耳掛部５２を着用者の耳にかけるための穴であり、耳掛部５２を貫通している開口である。孔５４は、耳掛部５２のほぼ中央に設けられている。また、孔５４は、マスク本体部５１と耳掛部５２とが接合した接合領域を除く領域に形成されている。
【００３５】
孔５４の形状は、特に限定されないが、図１，２においては、横幅方向に長尺であり、耳掛部５２の基端から先端に向かって広がる角丸略三角状（しずく状）となっている。また、孔５４は、上下対称であっても対称でなくてもよい。すなわち、上下において曲率半径が同じでも異なっていてもよい。また、孔５４は耳かけ部５２をマスク本体部５１から外側に向かって開いた時、孔５４がマスク本体部５１の長手方向に対して下方に延びて傾いている。
【００３６】
耳掛部５２の孔５４は、開口面積を調整し、耳が大きい人及び耳が小さい人の何れに対しても対応することができるよう、孔５４の外郭近傍において、孔５４の外郭から耳掛部５２の外周に向かって延在する１又は２以上のスリットが設けられていてもよい。かかるスリットは、耳掛部５２を耳に掛けるときに必要に応じて開くことができ、開口面積を調整できる。
【００３７】
［発熱体］
つぎに、温熱具５０に備えられる発熱体１００について説明する。本実施形態において、一対の発熱体１００が温熱具５０に配され、それぞれの発熱体１００が着用者の目を覆うこととなる。
【００３８】
発熱体１００の平面形状は、略正方形である。発熱体１００の剛性は、マスク本体部５１の剛性よりも大きく、発熱体１００全体はマスク本体部５１よりも伸縮しにくい。
【００３９】
図４は、本実施形態の発熱体１００の一例を示す平面図である。また、図５は、図４のＡ−Ａ断面図である。本実施形態の発熱体１００は、発熱部１０と、発熱部１０を収容する収容体２０とを備える。
【００４０】
発熱部１０は、被酸化性金属、炭素成分、吸水剤、水および反応促進剤等を含む。
具体的には、発熱部１０は、被酸化性金属の酸化反応によって発熱して温熱効果を付与するものであり、ＪＩＳ  Ｓ４１００に準拠した測定において、発熱温度３０℃以上７０℃以下の性能を有するものを使用することができる。また、発熱部１０は含まれる水が加熱されることにより、水蒸気を発生するという作用をもたらす。
【００４１】
被酸化性金属は、酸化反応熱を発する金属であり、たとえば、鉄、アルミニウム、亜鉛、マンガン、マグネシウム、およびカルシウムからなる群から選ばれる１種または２種以上の金属の粉末や繊維が挙げられる。
【００４２】
炭素成分は、保水能、酸素供給能、および触媒能を有するものであり、たとえば、活性炭、カーボンブラック、アセチレンブラック、および黒鉛からなる群から選ばれる１種または２種以上の材料を用いることができる。
【００４３】
発熱部１０中には、水分を保持し、被酸化性金属の酸化反応を効率よく進行させるため、吸水剤を含ませることができる。吸水剤として、吸水性を有するポリマーや、吸水性を有する粉体を用いることができる。
【００４４】
本実施形態においては発熱部１０がシート状である態様を示したが、この発熱部１０は、粉体状であってもよいし、シート状であってもよい。しかしながら、使用感に優れる点から、シート状であることが好ましい。このようなシート状の発熱体は繊維と共に抄造する方法、塗工する方法、ブレス等で圧密する方法など、任意の方法で得られる。
【００４５】
発熱部１０の厚みは、適度な剛性を得る観点から、好ましくは０．２ｍｍ以上であり、より好ましくは０．４ｍｍ以上であり、さらに好ましくは０．５ｍｍ以上である。また、発熱部１０の厚みは、取扱い性を良好にする観点から、好ましくは５ｍｍ以下であり、より好ましくは３ｍｍ以下であり、さらに好ましくは２ｍｍ以下である。
発熱部１０の厚みを上記範囲とすることで、発熱効果を高めつつ、発熱体１００を使用しやすいサイズにすることができる。また、発熱部１０においては、適度な剛性を有するため、温熱具５０の装着時にフィット感をより強く感じる事ができる。
なお、この発熱部１０の厚みは平均厚みを示す。
【００４６】
つづいて、発熱体１００を構成する収容体２０について説明する。
収容体２０は、少なくとも一部が透気性であり、発熱部１０を収容するものである。収容体２０は、たとえば、図５に示すように２枚のシート（第１収容体シート２０１、第２収容体シート２０２）の周縁部２０３を貼り合せて構成することができる。
なお、第１収容体シート２０１は発熱部１０よりも着用者の肌側に位置されるものであり、第２収容体シート２０２は発熱部１０よりも着用者の肌から遠い側に位置されるものである。温熱具５０が水蒸気を目又は皮膚に供給する場合、水蒸気を効率的に人の目や皮膚に与える観点から、第１収容体シート２０１は、透気性に長けているシートであることが好ましく、一方、第２収容体シート２０２は、透気性に乏しいシートであることが好ましい。すなわち、第２収容体シート２０２は、第１収容体シート２０１より透気性に乏しい事が好ましく、非通気である事がより好ましい。言い換えると、第２収容体シート２０２の通気度は、第１収容体シート２０１の通気度よりも高いことが好ましい。
【００４７】
発熱部１０が被酸化金属の酸化による発熱機能を有するものである場合、温熱具５０によって水蒸気を効率的に目や皮膚に与えるために上述のように第１収容体シート２０１と第２収容体シート２０２の透気性を調整すると、発熱部１０においては、第１収容シート２０１側より空気を優先的に取り込み、発熱反応を進行させることとなる。そのため、フィット感と発熱反応のバランスを取り、適度に目又は皮膚を加温する観点から、第１収容シート２０１の通気度は、３，０００〜６，０００秒／１００ｍｌが好ましく、４，０００〜６，０００秒／１００ｍｌがより好ましい。
【００４８】
なお、「通気度」は、ＪＩＳ  Ｐ８１１７によって測定される値であり、一定の圧力のもとで１００ｍｌの空気が６．４５ｃｍ２  の面積を通過する時間で定義される。
【００４９】
透気性シートとしては、樹脂製の多孔質シートや通気穴を有する樹脂製のシートを用いることができ、たとえば、ポリエチレン、ポリプロピレンおよびエチレン酢酸ビニル共重合体の１種または２種以上を使用することができる。
【００５０】
第２収容体シート２０２としては、実質的に酸素を透過しないものを用いることができ、たとえば、ポリエチレン、ポリブタジエン等のポリオレフィン、ポリ塩化ビニル、ポリ塩化ビリニリデン、ポリエステル、ポリエーテル、ポリスルフォンおよびポリアミドの１種または２種以上を使用することができる。
【００５１】
なお、本実施形態の温熱具５０は、酸素により酸化される被酸化性金属を有するため、通常、酸素遮断袋に封入されて保管される。
【００５２】
本実施形態の温熱具５０は、両目を覆うマスク本体部５１と、マスク本体部５１に設けられた発熱体１００と、マスク本体部５１の長手方向両端部にそれぞれ接合され、マスク本体部５１により着用者の両目を覆うように保持する一対の耳掛部５２（５２Ｌ、５２Ｒ）と、を備え、以下の条件を満たすものである。
（条件）
耳掛部５２が耳掛け用の孔５４を有し、
孔５４の最大長さ方向に対し垂直な方向において、耳掛部５２のうち孔５４より上方に位置する部分の幅の最小値をＤａ（ｃｍ）とし、耳掛部５２のうち孔５４より下方に位置する部分の幅の最小値をＤｂ（ｃｍ）としたとき、Ｄａ／Ｄｂが、１．３以上、１５．０以下であり、Ｄｂを含む直線と、耳掛部５２の下側の外縁とが交わる点から、耳掛部５２とマスク本体部５１との接合部までの、上記外縁の長さをＤｃ（ｃｍ）としたとき、Ｄｃが、１ｃｍ以上、４．５ｃｍ以下である。
【００５３】
ここで、孔５４の最大長さとは、温熱具５０を使用する前の状態における耳掛部５２において、負荷を与えないときの長さＬａ（ｃｍ）である。温熱具５０においては、図１，２に示されるように、孔５４はＸ方向両端が円弧状になっており、当該円弧の最も深い点同士を結んだ直線が、Ｌａ（ｃｍ）となる。孔５４の最大長さ方向とは、Ｌａ方向に平行な方向である。
なお、孔５４ＬにおけるＬａと、孔５４ＲにおけるＬａとが異なる場合、孔５４のＬａとは、両者の平均値とする。また、耳掛部５２が、孔５４の外縁の一部から耳掛部５２の外縁に延在するスリットを有している場合、当該スリットは、最大長さＬａには含まれない。さらに、孔５４が開口面積を有していない切れ込みからなるマスクの場合（例えばＴ字形状の切れ込み）においては、孔５４に相当するＬａ方向に延びる開口部の両端の頂点を結んだ直線が、Ｌａ（ｃｍ））となる。また、マスク本体５１と耳掛部５２が一体になったもの（連なった１枚のシート）であってもよい。
【００５４】
温熱具５０において、耳掛部５２のうち孔５４より下方に位置する部分の幅の最小値Ｄｂ（ｃｍ）は、スリット３１の上端部から孔５４までのＬａ方向に対し垂直な方向における長さとなっている。言い換えると、耳掛部５２の孔５４のＬａさ方向に対し垂直な方向において、スリット３１により、耳掛部５２の下方に位置する部分の幅が小さくなっている。
【００５５】
温熱具５０において、Ｄａ／Ｄｂは、１．３以上、１５．０以下である。すなわち、耳掛部５２が、Ｌａ方向に対し垂直な方向において、孔５４の下方に位置する部分の幅が孔５４の上方に位置する部分の幅よりも小さい領域を備えることで、使用者の頬周辺から耳たぶ周辺において肌に接触する領域が小さくなり、また、耳掛部５２を引き延ばして温熱具５０を装着した際、マスク本体部５１の上端部が着用者の眉付近にフィットしやすくなるとともに、耳掛部５２の下方が伸長しやすくなるとともに下方に応力が集中することを抑制し、耳掛部５２が装着された部分や耳裏に対する圧迫感を低下しやすくなる。なかでも、目尻から耳たぶまでの領域における応力を低減できる。さらに、Ｄａ／Ｄｂは１５．０以下であるため、耳掛け部の強度（例えば、耳掛部５２の下方から切れないこと）、フィット感を維持しながら圧迫感の低減もできる。
Ｄａ／Ｄｂは、耳掛部５２の下方を伸長しやすくし、圧迫感を低減する観点から、好ましくは、１．７以上、より好ましくは、２．０以上、さらに好ましくは、２．５以上である。一方、Ｄａ／Ｄｂは、フィット感を得る観点から、好ましくは、１２以下、より好ましくは、７．０以下、さらに好ましくは、５．０以下である。
【００５６】
また、温熱具５０において、Ｄａは、０．５ｃｍ以上、４．０ｃｍ以下であることが好ましく、耳掛部５２の強度を保持する観点から、Ｄａは、より好ましくは、０．８ｃｍ以上であり、さらに好ましくは、１．０ｃｍ以上であり、よりさらに好ましくは２．０ｃｍ以上であり、より一層さらに好ましくは２．５ｃｍ以上である。一方、耳掛部５２の圧迫感を低減する観点から、Ｄａは、より好ましくは、３．５ｃｍ以下であり、さらに好ましくは、３．３ｃｍ以下である。
【００５７】
さらに、温熱具５０において、フィット感の向上と圧迫感の低減を両立させる観点から、Ｄｂは、０．３ｃｍ以上、２．０ｃｍ未満であることが好ましい。耳掛部５２の強度を保持する観点とフィット感を向上する観点から、Ｄｂは、より好ましくは、０．５ｃｍ以上であり、さらに好ましくは、０．６ｃｍ以上である。一方、耳掛部５２のフィット感を保持しながら、伸長性を向上させて圧迫感を効果的に抑制する観点から、Ｄｂは、より好ましくは、１．５ｃｍ以下であり、さらに好ましくは、１．３ｃｍ以下である。
【００５８】
ここで、アイマスクタイプの温熱具５０においては、わずかな隙間であっても温熱効果への影響が顕著になる傾向あり、また、場合によっては、隙間から酸素が入り込むことで、過剰な発熱が発生することもある。そのため、より高水準でのフィット感が求められる。一方で、フィット感と圧迫感とは、いわゆるトレードオフの関係にあるため、着用者にかかる負荷のバランスを温熱具５０全体において適切に制御することが重要となる。
本実施形態における温熱具５０において、上記の条件を満たすことによって、温熱具５０が着用者の眉付近において密着しやすくなり、フィット感を向上させることができるとともに、着用者の耳掛部５２が装着された部分や耳裏にかかる負荷を低減し、圧迫感を抑制でき、温熱具５０による温熱効果を十分に得ることができるようになる。また、フィット感の向上に伴い、温熱具５０全体において、より均一な温熱効果が得られるようになる。さらに、温熱具５０によれば、従来よりも広い範囲を温め、かつ、目元が効果的に温められることで、全身のリラックス感も得られやすくなる。
【００５９】
以上、図面を参照ながら本発明の実施形態について述べたが、これらは本発明の例示であり、上記以外の様々な構成を採用することもできる。
【００６０】
温熱具５０においては、スリット３１が一方の耳掛部５２に対し、単数である場合について説明したが、フィット感と圧迫感のバランスを制御しやすくする観点から、スリット３１は、一方の耳掛部５２に対し、複数であってもよい。スリット３１の数は、一方の耳掛部５２において、２〜６が好ましく、２〜４がより好ましい。複数のスリット３１は、互いに、同じ長さであってもよく、異なる長さであってもよい。また、スリット３１が延在する方向は、互いに平行であってもよく、平行でなくてもよい。なお、温熱具５０において、スリット３１は、孔５４の最大長さ方向に対し垂直な方向に形成されているが、スリット３１が延在する方向はこれに限られない。
【００６１】
また、温熱具５０においては、耳掛部５２がスリット３１を備える例について説明したが、例えば、図６に示すように、スリット３１ではなく、切欠部４１を備える温熱具６１であってもよい。温熱具６１において、Ｄｂ（ｃｍ）は、切欠部４１の頂点から、孔５４までの、Ｌａ方向に垂直な方向の長さとなる。温熱具６１において、Ｄｂを含む直線が、耳掛部５２の下側の外縁のうち、耳掛部５２とマスク本体部５１との接合部からの長さが１ｃｍ〜５ｃｍの範囲内において、耳掛部５２の下側の外縁と交わることが好ましい。
切欠部４１の形状は特に限定されず、図６に示されるように、三角状であってもよく、円弧状であってもよく、一部に曲線を有するものであってもよい。また、切欠部４１の数も特に限定されない。
【００６２】
なお、上記は、耳掛部５２がスリット３１または切欠部４１を有する場合の、孔５４からの長さであるＤｂ（ｃｍ）の説明である。一方、本実施形態の温熱具は、耳掛部５２がスリット３１または切欠部４１を有する場合に限られず、これ以外の態様であってもよく、例えば、耳掛部の外形を変形したり、耳掛部に対する孔の位置が調節された態様であっても、Ｄｂ（ｃｍ）は同様に求められる。
【００６３】
また、耳かけ部のＤａ／Ｄｂが１．３以上、１５．０以下を満たすように調整するためには、耳掛部５２が、Ｌａ方向に対し垂直な方向において、孔５４の下方に位置する部分の幅が孔５４の上方に位置する部分の幅よりも小さい領域を備えるように、設計すればよい。例えば、耳掛部の、形状や大きさなどの外形を変形したり、耳掛部に対する孔の位置を調節したりすることによっても達成できる。
【００６４】
上述した実施形態に関し、本発明はさらに以下のマスク、或いは用途等を開示する。本発明の温熱具５０は、前述した実施形態に制限されることなく、本発明の趣旨を逸脱しない限り適宜変更可能である。
上記の実施形態においては、温熱具５０の機能として酸化還元反応による発熱体１００について説明したが、これに限られず、他の方法によって加温してもよく、また、保温、保湿、保冷、急冷、遮光、芳香、抗菌、押圧および防塵機能等を更に有してもよい。マスクとしては、温熱具５０のような蒸気温熱機能を有するマスクの他、例えば、（１）更に遮光性の部材を用い、光を遮る目的の安眠マスク、（２）保温機能を有する部材を用い、電子レンジなどの加熱器でマスクを温めてから目を温めることのできるマスク、（３）保冷剤、冷感剤などの冷却部材と、発熱機能を組み合わせ、発熱による加温と共に目を冷やすこともできるマスク、（４）香り成分を有する部材を発熱体と共に用い、リラックス効果を与えるマスク、（５）ビーズや球体を備え、目に圧迫感を与えて指圧効果を奏するマスク、（６）電気などで振動させることによりマッサージ効果を奏するマスク、などに変更することが可能である。
【００６５】
＜１＞  両目を覆うマスク本体と、前記マスク本体に設けられた発熱体と、前記マスク本体の長手方向両端部にそれぞれ接合され、当該マスク本体により着用者の両目を覆うように保持する一対の耳掛け部と、を備え、以下の条件を満たす、マスク。
（条件）
前記耳掛け部が耳掛け用の開口部を有し、
当該開口部の最大長さ方向に対し垂直な方向において、前記耳掛け部のうち前記開口部より上方に位置する部分の幅の最小値をＤａ（ｃｍ）とし、前記耳掛け部のうち前記開口部より下方に位置する部分の幅の最小値をＤｂ（ｃｍ）としたとき、Ｄａ／Ｄｂが、１．３以上、１５．０以下であり、
前記Ｄｂを含む直線と、前記耳掛け部の下側の外縁とが交わる点から、前記耳掛け部と前記マスク本体部との接合部までの、前記外縁の長さをＤｃ（ｃｍ）としたとき、Ｄｃが、１ｃｍ以上、４．５ｃｍ以下である。
＜２＞  Ｄｂが、０．３ｃｍ以上、２．０ｃｍ未満である、＜１＞に記載のマスク。
＜３＞  前記耳掛け部が、前記耳掛け部の下側の外縁から前記開口部に向かうスリットを備える＜１＞または＜２＞に記載のマスク。
＜４＞  前記スリットが複数である、＜３＞に記載のマスク。
＜５＞  前記耳掛け部を前記最大長さ方向に１００％伸長させたときの応力が１０Ｎ以下である、＜１＞乃至＜４＞のいずれか一つに記載のマスク。
＜６＞  前記耳かけ部は不織布である、＜１＞乃至＜５＞のいずれか一つに記載のマスク。
＜７＞  前記発熱体は、被酸化性金属の酸化反応により水蒸気を発生するものである、＜１＞乃至＜６＞のいずれか一つに記載のマスク。
＜８＞  前記発熱体が一対であり、各々により両目が覆われるように配置されている、＜１＞乃至＜７＞のいずれか一つに記載のマスク。
＜９＞  前記耳掛部をマスク本体から外側に向かって開いたとき、前記耳掛け用の前記開口部が前記マスク本体の長手方向に対して下方に傾いて延びている、＜１＞乃至＜８＞のいずれか一つに記載のマスク。
＜１０＞  前記耳掛部をマスク本体から外側に向かって開いたとき、前記耳掛部が平面視においてハの字形状となっている、＜１＞乃至＜９＞のいずれか一つに記載のマスク。
＜１１＞  前記発熱体は、発熱部と、前記発熱部を内部に収容する収容体と、を備え、
前記発熱部の厚みが、好ましくは０．２ｍｍ以上であり、より好ましくは０．４ｍｍ以上であり、さらに好ましくは０．５ｍｍ以上であり、一方、好ましくは５ｍｍ以下であり、より好ましくは３ｍｍ以下であり、さらに好ましくは２ｍｍ以下である、＜１＞乃至＜１０＞のいずれか一つに記載のマスク。
＜１２＞  前記収容体は、前記発熱部よりも着用者の肌側に位置される第１収容体シートと、前記発熱部よりも着用者の肌から遠い側に位置される第２収容体シートと、を備え、
前記第２収容体シートの通気度は、前記第１収容体シートの通気度よりも高い、＜１１＞に記載のマスク。
＜１３＞  前記第１収容シートの通気度は、好ましくは３，０００〜６，０００秒／１００ｍｌであり、より好ましくは４，０００〜６，０００秒／１００ｍｌである、＜１１＞または＜１２＞に記載のマスク。
＜１４＞  Ｄａ／Ｄｂは、好ましくは１．７以上であり、より好ましくは２．０以上であり、さらに好ましくは２．５以上であり、一方、好ましくは１２以下であり、より好ましくは７．０以下であり、さらに好ましくは、５．０以下である、＜１＞乃至＜１３＞のいずれか一つに記載のマスク。
＜１５＞  Ｄａ／Ｄｂは、好ましくは１．７以上１２以下あり、より好ましくは２．０以上７．０以下あり、さらに好ましくは２．５以上５．０以下ある、＜１＞乃至＜１４＞のいずれか一つに記載のマスク。
＜１６＞  Ｄｂは、より好ましくは、０．５ｃｍ以上であり、さらに好ましくは、０．６ｃｍ以上であり、一方、より好ましくは、１．５ｃｍ以下であり、さらに好ましくは、１．３ｃｍ以下である、＜１＞乃至＜１５＞のいずれか一つに記載のマスク。
＜１７＞  前記スリットが、前記開口部の最大長さ方向に対し垂直な方向に形成されている、＜３＞乃至＜１６＞のいずれか一つに記載のマスク。
＜１８＞  前記発熱体により、温熱蒸気を放出する、＜１＞乃至＜１７＞のいずれか一つに記載のマスク。
＜１９＞  アイマスクタイプである、＜１＞乃至＜１８＞のいずれか一つに記載のマスク。
【実施例】
【００６６】
以下、実施例により本発明をさらに詳細に説明する。しかしながら本発明の範囲は、かかる実施例に制限されない。
【００６７】
（実施例および比較例）
図１に示すような温熱具について、表２に示す構成となるよう、以下の手順に従い作製した。
〔発熱粉体水分散物の調製〕
表１で示す組成比で、材料を用意し、次の手順で調製した。キサンタンガムを水に溶解し、次いでリン酸３カリウム、水酸化カリウムを溶解して水溶液を用意した。一方で、鉄粉、活性炭をプレ混合した粉体を用意し、上記水溶液に、プレ混合粉体を入れ、ディスクタービン型攪拌羽根で１５０ｒｐｍ、１０分間攪拌してスラリー状の発熱粉体水分散物を得た。なお、塩化ナトリウムは後述する第１吸水シートの表面に該発熱粉体水分散物を塗布後、塗工面上に散布した。
【００６８】
【表１】
2019162411.tif 000003
【００６９】
〔発熱部の作製〕
第１吸水シートとして、木材パルプ製の紙（坪量２０ｇ／ｍ２、伊野紙株式会社製）と吸水性ポリマー（球状、平均粒子径３００μｍ、アクアリックＣＡ、株式会社日本触媒製、坪量３０ｇ／ｍ２）と木材パルプ製の紙（坪量３０ｇ／ｍ２、伊野紙株式会社製）を積層して一体化したポリマーシート（最大吸水量の１０〜４５質量％の水を吸収した状態での通気度２秒／１００ｍｌ）を用い、第２吸水シートとして、ポリエチレンラミネート紙（ニットク株式会社製）を用いた。
第１吸水シートとして用いるポリマーシートを用意し、前述のとおりに調製した発熱粉体水分散物を２５ｃｍ２（５ｃｍ×５ｃｍ）の第１吸水シートの表面に厚み略３ｍｍ（塗工量１．７ｇ）で塗工し、塗工面上に、食塩（日本薬局方塩化ナトリウム：富田製薬株式会社製）を０．０８９ｇ散布し、塗工面を第２吸水シート２５ｃｍ２（５ｃｍ×５ｃｍ）で被覆することで、発熱部を作製した。
【００７０】
〔発熱体の作製〕
収容体における第１収容体シートを、炭酸カルシウムを含む多孔質の延伸ポリエチレン透湿性フィルム（ＪＩＳ  Ｐ８１１７による通気度３，５００秒）から構成した。第２収容体シートは、ポリエチレン製の非透湿フィルムから構成した。該第２収容体シートの一面に吸水紙（坪量３５ｇ／ｍ２）を積層して、上述のシート状発熱部の１枚を間にして、第１収容体シートと第２収容体シートとを、吸水紙が外方を向くように重ね、周縁部においてシートどうしを接合し、矩形の発熱体を得た。
【００７１】
〔温熱具の作製〕
第１袋体シートは、ポリプロピレン不織布（ニードルパンチ法、坪量８０ｇ／ｍ２）、第２袋体シートは、ポリエチレンテレフタレート不織布（エアスルー法、坪量３０ｇ／ｍ２）を用い、図５に示すように、両袋体シートの間に、上記で得られた発熱体を２個挟み、周縁部および縦中心線近傍において第１袋体シート、第２袋体シートどうしを接合し、マスク本体部を作成した。さらに、第１袋体シートの外側面に、不織布製の耳掛け部を該マスク本体部と接合することにより、実施例及び比較例の温熱具を得た。なお、以上の各操作は、酸素が存在しない雰囲気下で行った。
また、実施例及び比較例の温熱具について、表２に示されているＤａ、ＤｂおよびＤｃを有する耳掛け部となるように、以下のようにして、開口部、及びスリット又は切欠部を設けた。
【００７２】
・実施例１
図７に示すように、耳掛け部５２Ｌの第１袋体シートと接合する側の最も外側の点を点Ｐ３とし、点Ｐ３からＸ方向に沿って内側に１５ｍｍを離れた点を点Ｐ２とした。また、点Ｐ３と点Ｐ２は、耳掛け部５２ＬのＹ方向の中心線（縦中央線Ｙ１）上とした。つぎに、点Ｐ２を小円Ｓ１の円心とし、小円Ｓ１の曲率半径は１．５ｍｍとした。同時に小円Ｓ１の円心からＹ方向の下方に向かいＸ方向と２０度をなす方向であって、小円Ｓ１の円心（点Ｐ２）から５０．５ｍｍ離れる点を点Ｐ１とした。点Ｐ１を大円Ｓ２の円心とし、大円Ｓ２の曲率半径は８ｍｍとなるようにして、小円Ｓ１および大円Ｓ２の一部を両端とする開口部（孔５４Ｌ）を設けた。すなわち、小円Ｓ１および大円Ｓ２の一部と、開口部（孔５４Ｌ）の一部とを一致させた。ただし、図７では、小円Ｓ１および大円Ｓ２を示す破線と、開口部（孔５４Ｌ）を示す実線とが重ならないよう、便宜上、小円Ｓ１および大円Ｓ２を開口部（孔５４Ｌ）の内側においてやや小さめに示している。また、小円Ｓ１の円心（点Ｐ２）と大円Ｓ２の円心（点Ｐ１）を結ぶ直線の傾きは、Ｌａ方向と一致する。また耳掛け部５２Ｌの下側の外縁から当該開口部（孔５４Ｌ）に向かう前記開口部の最大長さ方向に対し垂直な方向に２．５ｃｍのスリット３１を設けた。
同様にして、耳掛け部５２Ｒについても、左右対称となるように、開口部およびスリットを設け、温熱具を作成した。
【００７３】
・実施例２
実施例１の開口部をＹ方向に沿って下方に２ｍｍ平行移動させた位置に、実施例１と同様の開口部を形成し、また耳掛け部の下側の外縁から当該開口部に向かう前記開口部の最大長さ方向に対し垂直な方向に２．４ｃｍのスリットを設け、温熱具を作成した。
【００７４】
・実施例３
実施例１のスリットのかわりに、略三角形の切欠け部を設けた以外は、実施例１と同様にして耳掛け部を備える温熱具を作成した。
具体的には、図６に示されるＤｃを１．８ｍｍとなるようにし、耳掛け部の下側の外縁を底辺として形成される略三角形の切欠け部を有するものとした。該略三角形は、Ｌａ方向と直交する線における、耳掛け部の下側の外縁との交点から高さが２．５ｍｍの点を頂点とし、その大きさは１．９ｃｍ２とした。
【００７５】
・比較例１
実施例１の小円及び大円の曲率半径を各々４．５ｍｍと１１ｍｍに変更したことと、スリットを設けなかったこと以外は実施例１と同様にして、温熱具を作成した。
【００７６】
・比較例２
実施例１のスリットの長さを２ｍｍに変更すると共にＤｃを表２に示されているものにした以外は、実施例１と同様にして温熱具を作成した。
【００７７】
・比較例３
実施例１の開口部をＹ方向に沿って上方に２ｍｍに平行移動させた位置に、実施例１と同様の開口部を形成した。また、図６に示されるＤｃを４ｍｍとなるようにし、耳掛け部の下側の外縁を底辺として形成される略三角形の切欠け部を有するものとした。該略三角形は、Ｌａ方向と直交する線における、耳掛け部の下側の外縁との交点からの高さが２ｍｍの点を頂点とし、その大きさは２ｃｍ２とした。
【００７８】
・比較例４
実施例１の開口部をＹ方向に沿って下方に８ｍｍに平行移動させた位置に、実施例１と同様の開口部を形成した。また、図６に示されるＤｃを４ｍｍとなるようにし、耳掛け部の下側の外縁を底辺として形成される略三角形の切欠け部を有するものとした。該略三角形は、Ｌａ方向と直交する線における、耳掛け部の下側の外縁との交点から高さが１．９５ｍｍの点を頂点とし、その大きさは２ｃｍ２とした。
【００７９】
得られた温熱具を用いて、以下の評価を行った。結果を表２に示す。
【００８０】
（評価）
【００８１】
・耳掛部の伸長性
まず、温熱具から一対の耳掛部を剥離した。マスク本体と耳掛部が一体になったもの（連なった１枚のシート）の場合、孔の基端側の円弧の頂点から５ｍｍ内側を切り落とす。次に、一方の耳掛け部を用い、以下の装置を用いて、耳掛部のＬａ方向両端部をチャックにより挟み、応力を加えて、３００ｍｍ／分の速さで、Ｌａ方向に１００％伸長させ、その後、応力を開放して、耳掛部をもとの状態とし、伸長長さに対する荷重（Ｎ）を測定した。また、試料幅は８０±１０ｍｍであり、チャック間隔は５５±１５ｍｍとなるよう調整した。
装置名：「テンシロン万能試験機」
製造元：「株式会社オリエンテック」
【００８２】
・官能評価
熟練したパネリスト２１名が各温熱具を就寝時に着用し、以下の基準で評価し、２１名の平均値を算出した。数値が高いほど、良好な結果であることを表す。
［フィット感］
５：良好なフィット感がある
４：やや良好なフィット感がある
３：フィット感がある
２：わずかにフィット感がある
１：フィット感がほとんどない
［圧迫感のなさ］
５：圧迫感がまったくない
４：圧迫感がほとんどない
３：圧迫感がない
２：圧迫感がややある
１：圧迫感がある
［目の周りの温まり感］
５：目の周りの温まり感が十分ある
４：目の周りの温まり感がやや十分ある
３：目の周りの温まり感がある
２：目の周りの温まり感がやや足りない
１：目の周りの温まり感がない
［全身のリラックス感］
５：全身のリラックス感が十分ある
４：全身のリラックス感がやや十分ある
３：全身のリラックス感がある
２：全身のリラックス感がやや足りない
１：全身のリラックス感がない
【００８３】
【表２】
2019162411.tif 000004
【００８４】
実施例１と比較例１で作成した温熱具をそれぞれ室温環境下（２０℃、５５％）にて側臥位で１０分装着した。その後の温熱具を外してすぐの顔の皮膚温度をサーモスタットを用いて測定した。
３８℃以上となる面積を画像解析により計算したところ、実施例１では１７．２ｃｍ２であったのに対し、比較例１では１０．６ｃｍ２であった。
【符号の説明】
【００８５】
１０    発熱部
２０    収容体
３１    スリット
３２    スリット
４１    切欠部
５０    温熱具
５１    マスク本体部
５２    耳掛部
５２Ｌ    耳掛部
５２Ｒ    耳掛部
５３    袋体
５４    孔
５４Ｌ    孔
５４Ｒ    孔
５７    ノッチ部
６１    温熱具
１００    発熱体
２０１    第１収容体シート
２０２    第２収容体シート
２０３    周縁部
５３１    第１袋体シート
５３２    第２袋体シート
５７１    ノッチ部
５７２    ノッチ部
Ｘ    長手方向
Ｙ    幅方向
【図１】
2019162411.tif 000005
【図２】
2019162411.tif 000006
【図３】
2019162411.tif 000007
【図４】
2019162411.tif 000008
【図５】
2019162411.tif 000009
【図６】
2019162411.tif 000010
【図７】
2019162411.tif 000011